(57)【要約】【課題】  発光、受光素子の光クロストークの低減と、仕切部やホーンなどの光を遮蔽する構造を必要としない光素子アレイの提供。【解決手段】  発光ダイオードＤの大きさを２・ｒ１、発光面とレンズ面距離をｄ１、発光ダイオードＤからの放射角度をθ１、レンズ面と光ファイバ端面距離をｄ１’、レンズ面からの光の放射角度をθ１’、光ファイバ径を２・Ｒ１、アレイピッチをＬ１としたとき、ｄ１・ｔａｎθ１＋ｄ１’・ｔａｎθ１’＜Ｌ１−Ｒ１−ｒ１を満たすように発光ダイオードＦと光ファイバＤを配置して成ることを特徴とする光素子アレイ。【選択図】        図１
2006201685.tif 000002
【特許請求の範囲】
【請求項１】
発光ダイオード又は半導体レーザは上端面から発光する構造を有し、前記発光ダイオード又は半導体レーザの発光径を２・ｒ１、発光面とレンズ面距離をｄ１、発光ダイオード又は半導体レーザからの放射角度をθ１、レンズ面と光ファイバ端面距離をｄ１’、レンズ面からの光の放射角度をθ１’、光ファイバ径を２・Ｒ１、アレイピッチをＬ１としたとき、
ｄ１・ｔａｎθ１＋ｄ１’・ｔａｎθ１’＜Ｌ１−Ｒ１−ｒ１
を満たすように発光ダイオード又は半導体レーザと光ファイバを配置して成ることを特徴とする光素子アレイ。
【請求項２】
発光ダイオード又は半導体レーザは上端面から発光する構造を有し、前記発光ダイオード又は半導体レーザの発光径を２・ｒ１、発光面とレンズ面距離をｄ１、発光ダイオード又は半導体レーザからの放射角度をθ１、レンズ面と光ファイバ端面距離をｄ１’、レンズ面からの光の放射角度をθ１’、光ファイバ径を２・Ｒ１としたとき、
ｄ１・ｔａｎθ１＋ｄ１’・ｔａｎθ１’＜Ｒ１−ｒ１
を満たすように発光ダイオード又は半導体レーザと光ファイバを配置して成ることを特徴とする光素子アレイ。
【請求項３】
フォトダイオードの大きさを２・ｒ２、受光面とパッケージ表面距離をｄ２、パッケージ表面と光ファイバ端面距離をｄ２’、光ファイバからの光の放射角度をθ２’、パッケージに入射した光の屈曲角をθ２、光ファイバ径を２・Ｒ２としたとき、
ｄ２・ｔａｎθ２＋ｄ２’・ｔａｎθ２’＜Ｌ２−Ｒ２−ｒ２
を満たすようにフォトダイオードと光ファイバを配置して成ることを特徴とする光素子アレイ。
【請求項４】
フォトダイオードの大きさを２・ｒ２、受光面とレンズ面距離をｄ３、レンズ面と光ファイバ端面距離をｄ３’、光ファイバからの光の放射角度をθ３’、レンズに入射した光の屈曲角をθ３、光ファイバ径を２・Ｒ２としたとき、
ｄ３・ｔａｎθ３＋ｄ３’・ｔａｎθ３’＜ｒ２−Ｒ２
を満たすようにフォトダイオードと光ファイバを配置して成ることを特徴とする光素子アレイ。
【発明の詳細な説明】
【技術分野】
【０００１】
本発明は、例えば複数の光ファイバを用いて通信させる光コネクタ部の光素子アレイに関する。
【背景技術】
【０００２】
従来、この種の光素子アレイには図１１に示すものが知られている（例えば、特許文献１参照。）。すなわち、発光ダイオードＤを等間隔に並設した発光素子基板１１には、前記発光ダイオードＤ上にレンズ部１２を設けると共に、このレンズ部１２の上方に保持板１５により保持される複数の光ファイバＦの端面を臨ませて構成されている。
【０００３】
そして、発光ダイオードＤの発する光信号を、発光素子基板１１を通してレンズ部１２で集光し、その集光された光信号を光ファイバＦの端面を通して、伝達できるようになっていた。また図１２に示すように各発光ダイオードにホーン１３を形成し、レンズ部１２への集光能力を向上させた構造のものや、さらに光ファイバＦのチャンネル間の隣り合う各発光ダイオードＤ間に仕切部１４を設けた構成のものも知られている。
【０００４】
他方、フォトダイオードのような受光素子Ｌを図１３や図１４に示す構造の光素子アレイが知られ、保持板２５で支持される複数の光ファイバＦからの光信号をレンズ部２２を経て受光素子基板２１に設けた前記受光素子Ｌに直接入射させたり、隣接チャンネルの受光素子Ｌの間に仕切部２４を介して入射させている。
【特許文献１】特開２００２−２４３９８７号公報
【発明の開示】
【発明が解決しようとする課題】
【０００５】
上述の従来技術にあっては、図１１の構成の発光素子としての発光ダイオードＤからの光は、図示矢符の通り、隣接チャンネルの光ファイバＦに入射して光クロストークが発生するという不都合があり、また図１２に示すようなホーン１３や仕切部１４を形成して光クロストークを無くす構成を備えるも、構造が複数となり、作製工程が掛かりコスト高を生ずる。
【０００６】
また、図１３，図１４に示すような受光素子Ｌの場合にも光ファイバＦからの光が隣接チャンネルのフォトダイオードに入射して光クロストークが発生するという不都合が生ずると共に、この光クロストークを防ぐために仕切部２４を設けなければならないので、構造が複雑かつ作製工程が掛かり、コスト高を招く。
【課題を解決するための手段】
【０００７】
本発明は、以下の構成を備えることにより上記課題を解決した。
【０００８】
（１）発光ダイオード又は半導体レーザは上端面から発光する構造を有し、前記発光ダイオード又は半導体レーザの発光径を２・ｒ１、発光面とレンズ面距離をｄ１、発光ダイオード又は半導体レーザからの放射角度をθ１、レンズ面と光ファイバ端面距離をｄ１’、レンズ面からの光の放射角度をθ１’、光ファイバ径を２・Ｒ１、アレイピッチをＬ１としたとき、
ｄ１・ｔａｎθ１＋ｄ１’・ｔａｎθ１’＜Ｌ１−Ｒ１−ｒ１
を満たすように発光ダイオード又は半導体レーザと光ファイバを配置して成ることを特徴とする光素子アレイ。
【０００９】
（２）発光ダイオード又は半導体レーザは上端面から発光する構造を有し、前記発光ダイオード又は半導体レーザの発光径を２・ｒ１、発光面とレンズ面距離をｄ１、発光ダイオード又は半導体レーザからの放射角度をθ１、レンズ面と光ファイバ端面距離をｄ１’、レンズ面からの光の放射角度をθ１’、光ファイバ径を２・Ｒ１としたとき、
ｄ１・ｔａｎθ１＋ｄ１’・ｔａｎθ１’＜Ｒ１−ｒ１
を満たすように発光ダイオード又は半導体レーザと光ファイバを配置して成ることを特徴とする光素子アレイ。
【００１０】
（３）フォトダイオードの大きさを２・ｒ２、受光面とパッケージ表面距離をｄ２、パッケージ表面と光ファイバ端面距離をｄ２’、光ファイバからの光の放射角度をθ２’、パッケージに入射した光の屈曲角をθ２、光ファイバ径を２・Ｒ２としたとき、
ｄ２・ｔａｎθ２＋ｄ２’・ｔａｎθ２’＜Ｌ２−Ｒ２−ｒ２
を満たすようにフォトダイオードと光ファイバを配置して成ることを特徴とする光素子アレイ。
【００１１】
（４）フォトダイオードの大きさを２・ｒ２、受光面とレンズ面距離をｄ３、レンズ面と光ファイバ端面距離をｄ３’、光ファイバからの光の放射角度をθ３’、レンズに入射した光の屈曲角をθ３、光ファイバ径を２・Ｒ２としたとき、
ｄ３・ｔａｎθ３＋ｄ３’・ｔａｎθ３’＜ｒ２−Ｒ２
を満たすようにフォトダイオードと光ファイバを配置して成ることを特徴とする光素子アレイ。
【発明の効果】
【００１２】
本発明によれば、従来必要とされていた仕切部やホーンなどを不要としたので、全体の構成を簡易にできると共に、発光素子や受光素子のクロストークを低減でき、さらに光信号のＳ／Ｎ比を向上できるという効果を有する。
【発明を実施するための最良の形態】
【００１３】
以下に、本発明の二実施例を図面と共に説明する。
【実施例１】
【００１４】
発光素子の基本構造としては、電極パターンが施された基板またはリードフレーム上に、発光ダイオードを複数個等間隔で実装したもので、これらは樹脂により封止し、さらに光の入出力部分にレンズ形状が施されている。発光ダイオードは素子上面に強い発光分布を有する面発光素子である。
【００１５】
図１に、発光ダイオードＤを封止したダイオードアレイと、光ファイバＦを保持板５で保持させたアレイとを結合させたときの模式図を示す。用いる発光素子Ｄは主にチップ構成となって基板１内に設けられ、前記チップ上端面から発光する構造を有しており、これとレンズ部２を組み合わせることで指向性の強い発光を得ることができる。図１中の矢印線は発光ダイオードＤから射出された光が、光ファイバＦの端面に入射するまでの経路を示している。このとき、チップＤの発光範囲よりも大きなレンズ径にすることにより、チップＤから出た光をレンズ部２で屈折させることができる。屈折した光はある角度でレンズ部２から出射し、光ファイバＦの端面へと到達する。このとき、発光ダイオードＤから出た光が隣接した光ファイバＦの端面に入射しないように光ファイバアレイおよび発光ダイオードアレイの間隔を開ける。図１中に示されたパラメータを用いて、発光ダイオードＤの発光径２・ｒ１、発光面とレンズ面距離をｄ１、発光ダイオードからの放射角度をθ１、レンズ面と光ファイバ端面距離をｄ１’、レンズ面からの光の放射角度をθ１’、光ファイバ径を２・Ｒ１、アレイピッチをＬ１としたとき、光ファイバ端面に光が到達したときの発光径は２（ｒ１＋ｄ１・ｔａｎθ１＋ｄ１’・ｔａｎθ１）となり、この発光が隣接した光ファイバに入射しないためには直径２（Ｌ１−Ｒ１）の円内に収まる必要がある。
２（ｒ１＋ｄ１・ｔａｎθ１＋ｄ１’・ｔａｎθ１）＜２（Ｌ１−Ｒ１）
【００１６】
従って、式（１）のようになる。
ｄ１・ｔａｎθ１＋ｄ１’ｔａｎθ１’＜Ｌ１−Ｒ１−ｒ１    ・・・    （１）
【００１７】
このように、光ファイバＦおよび発光ダイオードＤを配置することで隣接チャンネルからの光ノイズを低減することができ、つまりＳ／Ｎ比を大きくすることができる。
【００１８】
また、隣接チャンネルからの光ノイズを低減し、且つ信号成分を光ファイバにより多く入射させるためには光ファイバ端面に光が到達したときの発光径を光ファイバの直径２Ｒ１以内に収まる必要がある。
２（ｒ１＋ｄ１・ｔａｎθ１＋ｄ１’・ｔａｎθ１）＜２Ｒ１
【００１９】
従って、式（２）のようになる。
ｄ１・ｔａｎθ１＋ｄ１’ｔａｎθ１’＜Ｒ１−ｒ１      ・・・    （２）
と光ファイバＦおよび発光ダイオードを配置することで、発光ダイオードＤから出た光を効率よく光ファイバ端面に入射させることができ、つまりＳ／Ｎ比を大きくすることができる。
【００２０】
また、この実施例では発光ダイオードＤおよび光ファイバＦは直線状に配列したアレイ形状としているが、これに限定されず、式（１）、式（２）をみたすように平面状に発光ダイオードＤおよび発光ファイバＦを配列してもよい。
【００２１】
図１の詳細な説明図を図２、図３、図４に示す。
【００２２】
図２はチャンネル間クロストークが起きている場合である。発光ダイオードの大きさを２・ｒ１、発光ダイオードからの放射角度をθ１とし、その時の光線の軌跡を矢印線で示してある。レンズから放射した光は角度θ１’で放射し、光ファイバ端面に到達する。矢印綿とレンズとの交点と発光面との距離をｄ１とする。同じく、その交点と光ファイバ端面との距離をｄ１’とする。光ファイバ径を２・Ｒ１、アレイピッチをＬ１とする。光線の軌跡より、チップから放出された光はそれと対向する光ファイバのみならず、それと隣接する光ファイバにも入射しており、チャンネル間クロストークが起きていることがわかる。
【００２３】
図３はチャンネル間クロストークが起きていない場合である。光線の軌跡より、チップから放出された光は、隣接する光ファイバに入射しておらず、チャンネル間クロストークが起きていないことがわかる。この時、各記号の関係式は式（１）のようになる。
【００２４】
図４はチャンネル間クロストークが起きていなく、かつ図３の条件より良く光ファイバに結合している場合である。光線の軌跡より、チップから放出された光はそれと対向する光ファイバの端面にすべて入射しており、効率よく結合していることがわかる。この時、各記号の関係式は式（２）のようになる。
【００２５】
図５に発光ダイオードＤを４つ並べた素子および、以下の表１にその素子を用いて各チャンネルのＳ／Ｎ比を評価した結果を示す。発光強度とは、各発光ダイオードＤを発光させ、光ファイバアレイと結合させたとき、向かい合った光ファイバＦに入射する光量を示している。つまり光信号成分である。漏れ光とは、この実施例の場合、発光ダイオードＤのＣＨ１のみを発光させたとき、光ファイバＦのＣＨ２〜ＣＨ４に入射する光量を示している。つまり光ファイバＦのＣＨ２〜ＣＨ４にとっての光ノイズ成分である。以上の結果からＳ／Ｎ比を算出すると表１に示すようになり、Ｓ／Ｎ比は２０ｄＢ程度確保することができ、チャンネル間クロストークは無視できるほどになる。
【００２６】
【表１】
2006201685.tif 000003
【００２７】
なお、上記実施例では、発光素子として発光ダイオードを用いた例で示したが、これに変えて半導体レーザを用いることも可能である。特に発光ダイオード又は半導体レーザでも、上端面から発光するものが好ましく、白熱電球などのほぼ全方向に光を照射する発光素子も使用可能であるが、この場合には光が照射される方向を制御するリフレクタやレンズ等が必要となる。
【実施例２】
【００２８】
つぎに、受光素子の基本構造としては、電極パターンが施された基板またはリードフレーム上に、フォトダイオードを複数個等間隔で実装したものである。これらは樹脂により封止し、さらに光の入出力部分にレンズ形状が施されている。
【００２９】
図６にフォトダイオードＬを封止したダイオードアレイと、光ファイバＦを保持板５に保持されたアレイとを結合させたときの模式図を示す。図６中の波線は光ファイバから出射される光が照らす範囲を示している。このとき、光ファイバＦから出た隣接したフォトダイオードＬに入射しないように光ファイバアレイおよびダイオードアレイのフォトダイオードとの間隔を開ける。図６中に示されたパラメータを用いて、フォトダイオードＬの大きさを２・ｒ２、受光面とパッケージ表面距離をｄ２、パッケージ表面と光ファイバ端面距離をｄ２’、光ファイバＦからの光の放射角度をθ２’、パッケージに入射した光の屈曲角をθ２としたとき、受光面に光が到達したときの発光径は、２（Ｒ２＋ｄ２・ｔａｎθ２＋ｄ２’・ｔａｎθ２’）となり、この発光が隣接したフォトダイオードに入射ないしためには直径２（Ｌ２−Ｒ２）の円内に収まる必要がある。
２（Ｒ２＋ｄ２・ｔａｎθ２＋ｄ２’・ｔａｎθ２’）＜２（Ｌ２−ｒ２）
【００３０】
従って、式（３）のようになる。
ｄ２・ｔａｎθ２＋ｄ２’ｔａｎθ２’＜Ｌ２−Ｒ２−ｒ２    ・・・    （３）
【００３１】
このように光ファイバＦおよびフォトダイオードＬを配置することで隣接チャンネルからの光ノイズを低減することができ、つまりはＳ／Ｎ比を大きくすることができる。
【００３２】
また、隣接チャンネルからの光ノイズを低減し、且つ信号成分をフォトダイオードにより多く入射させるためには受光面に光が到達したときの発光径をフォトダイオードの直径２ｒ２以内に収まる必要がある。
２（Ｒ２＋ｄ３・ｔａｎθ３＋ｄ３’・ｔａｎθ３’）＜２ｒ２
【００３３】
従って、式（４）のようになる。
ｄ３・ｔａｎθ３＋ｄ３’・ｔａｎθ３’＜ｒ２−Ｒ２      ・・・    （４）
と光ファイバＦおよびフォトダイオードＬを配置することで、光ファイバＦから出た光を効率よく受光面に入射させることができ、つまりＳ／Ｎ比を大きくすることができる。
【００３４】
また、この実施例ではフォトダイオードＬおよび光ファイバＦは直線状に配列したアレイ形状としているが、これに限定されず、式（３）、式（４）を満たすように平面状にフォトダイオードＬおよび光ファイバＦを配列してもよい。
【００３５】
図６の詳細な説明図を図７、図８、図９に示す。
【００３６】
図７は、チャンネル間クロストークが起きている場合である。光ファイバ径を２・Ｒ１、光ファイバからの光の放射角度をθ２’とし、その時の光線の軌跡を矢印線で示してある。パッケージ平坦部と光ファイバ端面との距離をｄ２’、同じく、パッケージ平坦部と受光面との距離をｄ２，とする。フォトダイオードの大きさを２・ｒ２、アレイピッチをＬ２とする。光線の軌跡より、光ファイバ端面から放出された光はそれと対向するフォトダイオードのみならず、それと隣接するフォトダイオードにも入射しており、チャンネル間クロストークが起きていることがわかる。
【００３７】
図８はチャンネル間クロストークが起きていない場合である。光線の軌跡より、光ファイバ端面から放出された光は、隣接するフォトダイオードに入射しておらず、チャンネル間クロストークが起きていないことがわかる。この時、各記号の関係式は式（３）のようになる。
【００３８】
図９はチャンネル間クロストークが起きていなく、かつ図８の条件より良く光ファイバに結合している場合である。光ファイバからの放射角度をθ３’とし、その時の光線の軌跡を矢印線で示してある。レンズに入射した光はθ３で伝播し、受光面に到達する。矢印線とレンズとの交点と光ファイバ端面との距離をｄ３’とする。同じく、その交点と受光面との距離をｄ３とする。光線の軌跡より、光ファイバから放出された光はそれと対向するフォトダイオードの受光面にすべて入射しており、効率よく結合していることがわかる。この時、各記号の関係式は式（４）のようになる。
【００３９】
図４にフォトダイードＬを４つ並べた素子および、下記の表２にその素子を用いて各チャンネルのＳ／Ｎ比を評価した結果を示す。表２では各光ファイバＦからの光を受光素子Ｌと結合させたときに受光面に入射する光量を示している。また光ファイバＦの１のみを発光させたとき、フォトダイオード２〜４に入射する光量を計測し、Ｓ／Ｎ比を求めている。表２の結果より、Ｓ／Ｎ比は２０ｄＢ程度確保することができ、チャンネル間クロストークは無視できるほどになる。
【００４０】
【表２】
2006201685.tif 000004
【００４１】
なお、上記実施例では受光素子としてフォトダイオードを用いた例で示したが、これに変えてフォトトランジスタ、フォトＩＣ等を用いることも可能である。
【産業上の利用可能性】
【００４２】
以上述べたように本発明は、複数光ファイバを用いて通信させる光コネクタ部として好適である。
【図面の簡単な説明】
【００４３】
【図１】本発明の一実施例を発光ダイオードの場合とした基本構成の模式断面図
【図２】図１のチャンネル間クロストークが起きている場合の詳細な説明図
【図３】図１のチャンネル間クロストークが起きていない場合の詳細な説明図
【図４】図１のチャンネル間クロストークが起きていなく、かつ図３の条件より良く光ファイバに結合している場合の詳細な説明図
【図５】複数の発光ダイオードとして構成した場合を示す図１の構成を示す模式断面図
【図６】本発明の他の実施例として受光素子の場合とした基本構成の模式断面図
【図７】図６のチャンネル間クロストークが起きている場合の詳細な説明図
【図８】図６のチャンネル間クロストークが起きていない場合の詳細な説明図
【図９】図６のチャンネル間クロストークが起きていなく、かつ図８の条件より良く光ファイバに結合している場合の詳細な説明図
【図１０】複数の受光素子にフォトダイオードとした場合を示す図６の構成を示す模式断面図
【図１１】従来例の発光ダイオードと光ファイバとの結合状態を示す模式断面図
【図１２】図１１の構成にホーンおよび仕切部を設けた従来例の模式断面図
【図１３】従来例の受光素子としてフォトダイオードを用いた光ファイバとの結合状態を示す模式断面図
【図１４】図１３の構成に仕切部を設けた場合の従来例の模式断面図
【符号の説明】
【００４４】
Ｆ  光ファイバ
Ｄ  発光ダイオード、発光素子
Ｌ  受光素子、フォトダイオード
１，１１，２１  基板
２，１２，２２  レンズ部
【図１３】
2006201685.tif 000005
【図１４】
2006201685.tif 000006
【図１】
2006201685.tif 000007
【図２】
2006201685.tif 000008
【図３】
2006201685.tif 000009
【図４】
2006201685.tif 000010
【図５】
2006201685.tif 000011
【図６】
2006201685.tif 000012
【図７】
2006201685.tif 000013
【図８】
2006201685.tif 000014
【図９】
2006201685.tif 000015
【図１０】
2006201685.tif 000016
【図１１】
2006201685.tif 000017
【図１２】
2006201685.tif 000018
【手続補正書】
【提出日】平成17年1月31日(2005.1.31)
【手続補正１】
【補正対象書類名】特許請求の範囲
【補正対象項目名】全文
【補正方法】変更
【補正の内容】
【特許請求の範囲】
【請求項１】
発光素子は上端面から発光する構造を有し、前記発光素子の発光径を２・ｒ１、発光面とレンズ面距離をｄ１、発光素子からの放射角度をθ１、レンズ面と光ファイバ端面距離をｄ１’、レンズ面からの光の放射角度をθ１’、光ファイバ径を２・Ｒ１、アレイピッチをＬ１としたとき、
ｄ１・ｔａｎθ１＋ｄ１’・ｔａｎθ１’＜Ｌ１−Ｒ１−ｒ１
を満たすように発光素子と光ファイバを配置して成ることを特徴とする光素子アレイ。
【請求項２】
発光素子は上端面から発光する構造を有し、前記発光素子の発光径を２・ｒ１、発光面とレンズ面距離をｄ１、発光素子からの放射角度をθ１、レンズ面と光ファイバ端面距離をｄ１’、レンズ面からの光の放射角度をθ１’、光ファイバ径を２・Ｒ１としたとき、
ｄ１・ｔａｎθ１＋ｄ１’・ｔａｎθ１’＜Ｒ１−ｒ１
を満たすように発光素子と光ファイバを配置して成ることを特徴とする光素子アレイ。
【請求項３】
受光素子の大きさを２・ｒ２、受光面とパッケージ表面距離をｄ２、パッケージ表面と光ファイバ端面距離をｄ２’、光ファイバからの光の放射角度をθ２’、パッケージに入射した光の屈曲角をθ２、光ファイバ径を２・Ｒ２としたとき、
ｄ２・ｔａｎθ２＋ｄ２’・ｔａｎθ２’＜Ｌ２−Ｒ２−ｒ２
を満たすように受光素子と光ファイバを配置して成ることを特徴とする光素子アレイ。
【請求項４】
受光素子の大きさを２・ｒ２、受光面とレンズ面距離をｄ３、レンズ面と光ファイバ端面距離をｄ３’、光ファイバからの光の放射角度をθ３’、レンズに入射した光の屈曲角をθ３、光ファイバ径を２・Ｒ２としたとき、
ｄ３・ｔａｎθ３＋ｄ３’・ｔａｎθ３’＜ｒ２−Ｒ２
を満たすように受光素子と光ファイバを配置して成ることを特徴とする光素子アレイ。
【手続補正２】
【補正対象書類名】明細書
【補正対象項目名】０００８
【補正方法】変更
【補正の内容】
【０００８】
（１）発光素子は上端面から発光する構造を有し、前記発光素子の発光径を２・ｒ１、発光面とレンズ面距離をｄ１、発光素子からの放射角度をθ１、レンズ面と光ファイバ端面距離をｄ１’、レンズ面からの光の放射角度をθ１’、光ファイバ径を２・Ｒ１、アレイピッチをＬ１としたとき、
ｄ１・ｔａｎθ１＋ｄ１’・ｔａｎθ１’＜Ｌ１−Ｒ１−ｒ１
を満たすように発光素子と光ファイバを配置して成ることを特徴とする光素子アレイ。
【手続補正３】
【補正対象書類名】明細書
【補正対象項目名】０００９
【補正方法】変更
【補正の内容】
【０００９】
（２）発光素子は上端面から発光する構造を有し、前記発光素子の発光径を２・ｒ１、発光面とレンズ面距離をｄ１、発光素子からの放射角度をθ１、レンズ面と光ファイバ端面距離をｄ１’、レンズ面からの光の放射角度をθ１’、光ファイバ径を２・Ｒ１としたとき、
ｄ１・ｔａｎθ１＋ｄ１’・ｔａｎθ１’＜Ｒ１−ｒ１
を満たすように発光素子と光ファイバを配置して成ることを特徴とする光素子アレイ。
【手続補正４】
【補正対象書類名】明細書
【補正対象項目名】００１０
【補正方法】変更
【補正の内容】
【００１０】
（３）受光素子の大きさを２・ｒ２、受光面とパッケージ表面距離をｄ２、パッケージ表面と光ファイバ端面距離をｄ２’、光ファイバからの光の放射角度をθ２’、パッケージに入射した光の屈曲角をθ２、光ファイバ径を２・Ｒ２としたとき、
ｄ２・ｔａｎθ２＋ｄ２’・ｔａｎθ２’＜Ｌ２−Ｒ２−ｒ２
を満たすように受光素子と光ファイバを配置して成ることを特徴とする光素子アレイ。
【手続補正５】
【補正対象書類名】明細書
【補正対象項目名】００１１
【補正方法】変更
【補正の内容】
【００１１】
（４）受光素子の大きさを２・ｒ２、受光面とレンズ面距離をｄ３、レンズ面と光ファイバ端面距離をｄ３’、光ファイバからの光の放射角度をθ３’、レンズに入射した光の屈曲角をθ３、光ファイバ径を２・Ｒ２としたとき、
ｄ３・ｔａｎθ３＋ｄ３’・ｔａｎθ３’＜ｒ２−Ｒ２
を満たすように受光素子と光ファイバを配置して成ることを特徴とする光素子アレイ。